(57)【要約】【課題】大きな保管場所が不要で、三次元に配索する電線群の保護およびＬ形に配索する箇所での保護に適用できるプロテクタ用エレメント、プロテクタ、およびそれを備えたワイヤハーネスを提供すること。【解決手段】プロテクタ用エレメント１は、切込みにより形成される一対の切り起こし爪１２，１３と、一対の台形状板部１４，１５と、短片部１６と、を有する合成樹脂製のカバー部材１０と、雌雄一対のホックボタン１７、１８からなる連鎖手段１９と、を備える。エレメント１を連鎖手段１９で継ぎ足したプロテクタ２０は、各エレメント１毎に、切込みにより形成される一対の切り起こし爪１２，１３を切り起こし、かつ一対の台形状板部１４，１５を立ち上げることで、各切込みにより形成される一対の切り起こし爪１２，１３が電線群５０ａを抱え込み、各一対の台形状板部１４，１５が抱え込まれた上記電線群５０ａを収容、保持する。【選択図】図１
2017005844.tif 000002
【特許請求の範囲】
【請求項１】
一対の切り起こし爪が幅方向に離間して形成された底面用面部と、前記底面用面部の両側の長辺よりそれぞれ外方へ平面状に延在された一対の側壁用面部と、前記底面用面部の一方の短辺より外方へ平面状に延在された接続用面部と、を有する合成樹脂製のカバー部材と、
雌雄一対のホックボタンであって、一方のホックボタンが前記接続用面部に設けられるとともに、他方のホックボタンが前記底面用面部の前記接続用面部と反対側の端部に、前記一方のホックボタンが設けられた面とは反対側の面に設けられる連鎖手段と、を備え、
前記一対の切り起こし爪は、切り起こした際には、前記底面用面部上に密着して通す電線群を両側から抱え込むように形成され、
前記一対の側壁用面部は、折り曲げられることにより、前記一対の切り起こし爪が抱え込む前記電線群の両側に立ち上がるように形成されていることを特徴とするプロテクタ用エレメント。
【請求項２】
複数の請求項１に記載のプロテクタ用エレメントが一列状に並べられ、一の前記プロテクタ用エレメントの前記一方のホックボタンと、隣りの前記プロテクタ用エレメントの前記他方のホックボタンとが嵌合することにより、前記複数のプロテクタ用エレメントが連鎖するとともに、前記各プロテクタ用エレメントの、前記一対の切り起こし爪をそれぞれ切り起こしかつ前記一対の側壁用面部を立ち上げた状態に構成したことを特徴とするプロテクタ。
【請求項３】
電線群と、請求項２に記載のプロテクタと、を備え、
前記各プロテクタに備えた、一対の切り起こし爪が前記電線群を挟んだ状態であるとともに、前記一対の側壁用面部が前記電線群の両側に立ち上がった状態であることを特徴とするワイヤハーネス。
【発明の詳細な説明】
【技術分野】
【０００１】
本発明は、自動車に搭載されるワイヤハーネスを覆うプロテクタ用エレメント、プロテクタ、およびそれを備えたワイヤハーネスに関する。
【背景技術】
【０００２】
従来、自動車に搭載されるワイヤハーネスには、底面部が連続し両側の側面部が断続しているプロテクタにより電線群が保護されたものが既に知られている（例えば、特許文献１参照）。
【０００３】
図８は、特許文献１に開示された図１に示すものと同一の電線保護具を示す斜視図である。この電線保護具１４は、樹脂シートを打ち抜き形成され、図において、水平な基板部４と、基板部４の両側に延在する左右一対の側板部５，６と、を備えた複数の電線保持ブロック２と、各保持ブロック２を連結する可撓性の連結部３とで一体に構成され、基板部４と、立ち上げられた左右一対の側板部５，６とで三角空間を形成する。この電線保護具１４は、電線群を基板部４上に位置させてから、左右一対の側板部５，６を三角空間を形成するように次々に立ち上げて複数の三角空間よりなる電線挿通空間を形成し、電線挿通空間内に電線群を保護できる構成である。
【先行技術文献】
【特許文献】
【０００４】
【特許文献１】特開２００５−１２４３１８号公報
【発明の概要】
【発明が解決しようとする課題】
【０００５】
しかしながら、図８に示す電線保護具１４にあっては、シート状であるので電線群に組み付ける前は積層状態に保管することができて保管スペースが小さくて済み、かつ電線群が基板部４の平面に対して垂直面内で屈曲するような場合には適用できるが、電線群が基板部４の平面内で屈曲するような場合には適用できないという問題点があった。
【０００６】
また、図８に示す電線保護部１４にあっては、基板部４と左右一対の側板部５，６とで形成する小さな三角空間内に電線群を通す構成であるので、電線群が端末においてＬ形に曲がってから接続端子に接続されるＬ形に配索する箇所の保護には適用できないとともに、振動が生じる配索箇所では、左右一対の側板部５，６の角部が電線群を圧迫するという問題点があった。
【０００７】
本発明は、上述のような課題を解決するためになされたもので、大きな保管場所が不要で、かつ、少ない手間で配策作業を行うことができ、三次元に配索する電線群の保護およびＬ形に配索する箇所での保護に適用できるプロテクタ用エレメント、プロテクタ、およびそれを備えたワイヤハーネスを提供することを目的とする。
【課題を解決するための手段】
【０００８】
本発明に係るプロテクタ用エレメントは、上記目的達成のため、一対の切り起こし爪が幅方向に離間して形成された底面用面部と、前記底面用面部の両側の長辺よりそれぞれ外方へ平面状に延在された一対の側壁用面部と、前記底面用面部の一方の短辺より外方へ平面状に延在された接続用面部と、を有する合成樹脂製のカバー部材と、雌雄一対のホックボタンであって、一方のホックボタンが前記接続用面部に設けられるとともに、他方のホックボタンが前記底面用面部の前記接続用面部と反対側の端部に、前記一方のホックボタンが設けられた面とは反対側の面に設けられる連鎖手段と、を備え、前記一対の切り起こし爪は、切り起こした際には、前記底面用面部上に密着して通す電線群を両側から抱え込むように形成され、前記一対の側壁用面部は、折り曲げられることにより、前記一対の切り起こし爪が抱え込む前記電線群の両側に立ち上がるように形成された構成である。
【０００９】
この構成により、本発明に係るプロテクタ用エレメントは、シート状で所要形状に打ち抜き製作することができ、電線群に組み付ける前は、積層状態に保管することができるので、大きな保管場所を必要としない。
【００１０】
また、本発明に係るプロテクタ用エレメントは、単体でプロテクタを構成できる。すなわち、電線群の保護箇所がプロテクタ用エレメントを１つ使用すれば足りる短い箇所の保護には、プロテクタ用エレメントを１つ用意し、一対の切り起こし爪を引き起こして電線群を抱え込むように係止させ、一対の側壁用面部を電線群の両側に立ち上げればよい。
【００１１】
また、本発明に係るプロテクタは、上記目的達成のため、複数の前記プロテクタ用エレメントが一列状に並べられ、一の前記プロテクタ用エレメントの前記一方のホックボタンと、隣りの前記プロテクタ用エレメントの前記他方のホックボタンとが嵌合することにより、前記複数のプロテクタ用エレメントが連鎖するとともに、前記各プロテクタ用エレメントの、前記一対の切り起こし爪をそれぞれ切り起こしかつ前記一対の側壁用面部を立ち上げた状態に構成されている。
【００１２】
この構成により、本発明に係るプロテクタは、電線群の保護箇所が１つのプロテクタ用エレメントでは足りない場合に適用し、必要個数用意して連鎖し、各プロテクタ用エレメントの一対の切り起こし爪を引き起こして電線群を抱え込むように係止させ、各プロテクタ用エレメントの一対の側壁用面部を電線群の両側に立ち上げればよい。
【００１３】
この構成により、本発明に係るプロテクタは、雌雄一対のホックボタンの嵌着に際して互いに隣接する底面用面部同士を直線状の接続のみでなく、屈曲する状態に接続することができ、また、接続用面部と底面用面部とが区分される箇所で、接続用面部を底面用面部に対して傾斜状態に屈曲することができる。したがって、本発明に係るプロテクタは、三次元方向に曲がって配索される電線群の保護にも適用することができる。さらに、一対の側壁用面部を底面用面部に対して垂直に立ち上げることができ、電線群の両側を保護できるので、Ｌ形に配索する箇所での保護に適用できる。
【００１４】
また、本発明に係るワイヤハーネスは、上記目的達成のため、電線群と、前記プロテクタと、を備え、前記各一対の切り起こし爪が前記電線群を挟んだ状態であるとともに、前記各一対の側壁用面部が前記電線群を挟んだ状態に立ち上がった状態である構成を有する。
【００１５】
この構成により、本発明に係るワイヤハーネスは、プロテクタによる保護が必要な三次元方向に曲がって配索される電線群に適用することができる。
【発明の効果】
【００１６】
本発明によれば、大きな保管場所が不要で、かつ、少ない手間で配策作業を行うことができ、三次元に配索する電線群の保護およびＬ形に配索する箇所での保護に適用できるプロテクタ用エレメント、プロテクタ、およびそれを備えたワイヤハーネスを提供することができる。
【図面の簡単な説明】
【００１７】
【図１】図１（ａ）は、本発明の第１の実施の形態に係るプロテクタ用エレメントの平面展開形状を示す平面図であり、図１（ｂ）は、図１（ａ）に対する右側面図である。
【図２】図２（ａ）は、本発明の第１の実施の形態に係るプロテクタ用エレメントの立体形状を示す正面図であり、図２（ｂ）は、図２（ａ）に対する右側面図である。
【図３】本発明の第１の実施の形態に係るプロテクタを示し、図１（ａ）に示す平面展開形状の複数のプロテクタ用エレメントを一列状に連結した組立途中を示す平面図である。
【図４】本発明の第１の実施の形態に係るプロテクタを示し、図３に示すように複数のプロテクタ用エレメントを一列状に連結した後、各プロテクタ用エレメントを立体形状に折り曲げて完成した状態を示す平面図である。
【図５】本発明の第１の実施の形態に係るワイヤハーネスを示し、図１（ａ）に示す平面展開形状のプロテクタ用エレメントを２つ連結してなるプロテクタを電線束に組み付けた状態を示す図である。
【図６】本発明の第１の実施の形態に係るプロテクタを示し、図５に示すように複数のプロテクタ用エレメントを平面展開状のまま電線束に組み付けた後、各プロテクタ用エレメントを立体形状に折り曲げて完成した状態を示す平面図である。
【図７】本発明の第２の実施の形態に係るワイヤハーネスの構成を示す図である。
【図８】従来の電線保護具の構成を示す図である。
【発明を実施するための形態】
【００１８】
次に、本発明に係る一実施の形態について図面を参照して説明する。
【００１９】
（第１の実施の形態）
【００２０】
（プロテクタ用エレメント）
まず、図１および図２を参照してプロテクタ用エレメント１の構成を説明する。
【００２１】
図１（ａ），（ｂ）に示すように、本実施の形態に係るプロテクタ用エレメント（以下、単にエレメントと称することがある）１は、合成樹脂製のカバー部材１０と、短片部１６と、雌雄一対のホックボタンよりなる連鎖手段１９と、を備えて構成される。
【００２２】
合成樹脂製のカバー部材１０は、長方形板部１１と、一対の台形状板部１４，１５と、有する。カバー部材１０を構成する合成樹脂としては、例えば、ポリプロピレン（ＰＰ）、あるいはポリプロピレンテレフタレート（ＰＰＴ）等を用いることができる。また、カバー部材１０は、耐熱性の面で支障がない場合は塩化ビニル（ＰＶＣ）により形成してもよい。
【００２３】
長方形板部１１は、切込みにより形成される一対の切り起こし爪１２，１３が幅方向に離間して有する。一対の切り起こし爪１２，１３は、例えば、長方形板部１１に予め鉤形状に切り込みを入れることにより形成することができる。これにより、一対の切り起こし爪１２，１３は、上記合成樹脂の可塑性を利用し、長方形板部１１の上面に対して任意の角度となるように切り起こすことが可能となる（図２参照）。
【００２４】
一対の台形状板部１４，１５は、長方形板部１１の両側の長辺よりそれぞれ外方へ平面状に延在された該長辺を底辺とする。一対の台形状板部１４，１５も、上記合成樹脂の可塑性を利用し、長方形板部１１の平面に対して任意の角度となるまで折り曲げて立ち上げることが可能である。
【００２５】
短片部１６は、長方形板部１１の一方の短辺より外方へ平面状に延在された台形状である。短片部１６の台形状の突端部には、連鎖手段１９の構成要素の一つであるホックボタン１７が設けられている。
【００２６】
連鎖手段１９は、一方のホックボタン１７が短片部１６に設けられるとともに、他方のホックボタン１８が長方形板部１１の短片部１６と反対側の端部に、一方のホックボタン１７が設けられた面側とは反対側の面に設けられている。
【００２７】
図１に示す組み立て前のエレメント１において、カバー部材１０は、長方形板部１１、一対の台形状板部１４，１５の各領域を含み、これらの領域が短片部１６と一体化された合成樹脂性の平板状部材で構成される。この平板状部材からなるエレメント１は、作業者が力を加えることで、カバー部材１０の長方形板部１１に配置される切り起こし爪１２，１３を切り起こし、さらに、長方形板部１１の両側の一対の台形状板部１４，１５を折り曲げて立ち上げることにより、例えば、図２に示す立体形状に組み立てることができる。
【００２８】
図２に示す立体形状のエレメント１の構成において、カバー部材１０は、一対の台形状板部１４，１５を立ち上げた状態のとき、長方形板部１１を底面とし、上記立ち上げられた一対の台形状板部１４，１５を壁面とする横断面が凹型の溝構造を形成する。すなわち、平板状部材からなるカバー部材１０において、長方形板部１１は組み立て時に底面となる底面用面部に相当し、一対の台形状板部１４，１５は組み立て時に壁面となる壁面用面部に相当する。
【００２９】
また、図２に示す立体形状のエレメント１の構成において、短片部１６の電線５０を通す側には、雌雄一対のホックボタン１７，１８のうちの一方のホックボタン１７が設けられる。これに対し、他方のホックボタン１８は長方形板部１１の短片部１６と反対側の端部に、一方のホックボタン１７が設けられた側とは反対側に設けられている。
【００３０】
短片部１６上のホックボタン１７は、図示しない他の同一構成のエレメント１の長方形板部１１の短片部１６と反対側の端部に設けられるホックボタン１８に嵌着接合可能である。これにより、各エレメント１は、ホックボタン１７、あるいは１８を介して互いに他のエレメント１と連結することができる。このように、本実施の形態に係るエレメント１において、ホックボタン１７，１８はエレメント１の連鎖手段１９を構成する。このため、図１に示す平板状部材からなるカバー部材１０において、上記連鎖手段１９を構成するホックボタン１７が設けられる短片部１６は、図２に示す律定頸上に組み立てられた時には連鎖用、つまり接続用として働く接続用面部に相当する。
【００３１】
図２に示す立体形状からも分かるように、本実施の形態のエレメント１において、切込みにより形成される一対の切り起こし爪１２，１３は、切り起こした際には、長方形板部１１上に密着して通す電線群５０ａ中の１または複数の電線５０を両側から抱え込むように形成されている。また、一対の台形状板部１４，１５は、折り曲げられることにより、切込みにより形成される一対の切り起こし爪１２，１３が抱え込む電線群５０ａの両側に立ち上がるように形成されている。
【００３２】
上述したように、本実施の形態に係るエレメント１は、組み立て前には、図１に示すような平板状部材からなる。つまり、本実施の形態に係るエレメント１は、切込みにより形成される一対の切り起こし爪１２，１３が切り起こし可能に形成された底面用面部（長方形板部１１）、立ち上げる前の一対の側壁用面部（台形状板部１４，１５）、および接続用面部（短片部１６）の各面部を有する合成樹脂製の平板状部材として個々に製造可能である。このように、個々に分離し、かつ平板状部材からなる本実施の形態では、保管場所は小さくて済む。
【００３３】
また、本実施の形態において、組み立て完了したエレメント１は、各一対の台形状板部１４，１５の長方形板部１１に接する側と反対の側が開放された状態で用いられる。これにより、本実施の形態では、上記平板状部材から組み立てたエレメント１、または複数のエレメント１を連鎖手段１９で継ぎ足したうえで、各一対の台形状板部１４，１５の開放された側から、各切込みにより形成される一対の切り起こし爪１２，１３で電線群５０ａを抱え込み、かつ、各一対の側壁用面部１４，１５で上記電線群５０ａを挟み込むように押し込む簡単な作業で取り付け可能である。
【００３４】
本実施の形態に係るプロテクタ用エレメント１によれば、シート状で所要形状に打ち抜き製作することができ、電線群５０ａに組み付ける前は、積層状態に保管することができるので、大きな保管場所を必要としない。
【００３５】
また、プロテクタ用エレメント１は、単体でプロテクタを構成できる。すなわち、電線群５０ａの保護箇所がプロテクタ用エレメントを１つ使用すれば足りる短い箇所の保護には、プロテクタ用エレメントを１つ用意し、一対の切り起こし爪を引き起こして電線群を抱え込むように係止させ、一対の側壁用面部を電線群の両側に立ち上げればよい。
【００３６】
（プロテクタ）
次に、図３および図４を参照してプロテクタ２０の構成を説明する。
図３に示すように、本実施の形態に係るプロテクタ２０は、図１に示すエレメント１を複数継ぎ足して（連結して）構成される。特に、図３に示すプロテクタ２０は、例えば４つのエレメント１Ａ，１Ｂ，１Ｃ，１Ｄを連鎖手段１９を介して継ぎ足すことにより構成されている。
【００３７】
具体的に、図３のプロテクタ２０では、各エレメント１Ａ，１Ｂ，１Ｃ，１Ｄが、エレメント１Ａのホックボタン１８にエレメント１Ｂのホックボタン１７を嵌着し、エレメント１Ｂのホックボタン１８にエレメント１Ｃのホックボタン１７を嵌着し、エレメント１Ｃのホックボタン１８にエレメント１Ｄのホックボタン１７を嵌着することにより連結されている。
【００３８】
図３に示すプロテクタ２０の連結構造によれば、例えば以下の手順により図４に示すプロテクタ２０を組み立てることができる。すなわち、このプロテクタ２０の組み立てにおいては、まず、各エレメント１Ａ，１Ｂ，１Ｃ，１Ｄの各切込みにより形成される一対の切り起こし爪１２，１３を切り起こす。次いで、保護対象の電線群５０ａの該当箇所を各切込みにより形成される一対の切り起こし爪１２，１３により抱き込むようにし、かつ、これら各切込みにより形成される一対の切り起こし爪１２，１３の鉤部を電線群５０ａに引っ掛けるようにして各エレメント１Ａ，１Ｂ，１Ｃ，１Ｄを電線群５０ａに対して順に取り付けていく。その後、各エレメント１Ａ，１Ｂ，１Ｃ，１Ｄ毎に両側の台形状板部１４，１５を電線群５０ａが覆われるまで折り曲げ、プロテクタ２０を完成させる。
【００３９】
このように、本実施の形態に係るプロテクタ２０は、図１に示す平板状部材から組み立てた複数のエレメント１を連鎖手段１９で継ぎ足すことで作成でき、各切込みにより形成される一対の切り起こし爪１２，１３で電線群５０ａを抱え込み、かつ、各一対の側壁用面部１４，１５で上記電線群５０ａを挟み込むように取り付けることができる。
【００４０】
この取り付けに際し、連結されている各エレメント１Ａ，１Ｂ，１Ｃ，１Ｄは、各一対の台形状板部１４，１５の長方形板部１１に接する側と反対の側が開放されている。このため、作業者は、各エレメント１Ａ，１Ｂ，１Ｃ，１Ｄをそれぞれの各一対の台形状板部１４，１５の開放端側から一対の切り起こし爪１２，１３が電線群５０を抱え込む適宜な位置まで押し込むといった簡単な作業で当該プロテクタ２０を電線群５０ａに取り付け可能であり、少ない手間で配策作業を行うことができる。
【００４１】
本実施の形態に係るプロテクタ２０は、電線群５０ａの保護箇所が１つのプロテクタ用エレメント１では足りない場合に適用し、必要個数用意して連鎖し、各プロテクタ用エレメント１の一対の切り起こし爪１２，１３を引き起こして電線群５０ａを抱え込むように係止させ、各プロテクタ用エレメント１の一対の台形状板部１４，１５を電線群５０ａの両側に立ち上げればよい。
【００４２】
また、プロテクタ２０は、雌雄一対のホックボタンの嵌着に際して互いに隣接する長方形板部１１同士を直線状の接続のみでなく、屈曲する状態に接続することができ、また、短片部１６と長方形板部１１とが区分される箇所で、短片部１６を長方形板部１１に対して傾斜状態に屈曲することができる。したがって、本実施の形態に係るプロテクタ２０は、三次元方向に曲がって配索される電線群５０ａの保護にも適用することができる。さらに、一対の台形状板部１４，１５を長方形板部１１に対して垂直に立ち上げることができ、電線群５０ａの両側を保護できるので、Ｌ形に配索する箇所での保護に適用できる。
【００４３】
（ワイヤハーネス）
次に、図５および図６を参照して本実施の形態に係るワイヤハーネス３０の構成を説明する。
図５および図６に示すワイヤハーネス３０は、自動車の車体に取り付けられる電気接続箱４０から導出される電線群５０ａおよび電線５０を束ねた幹線５１を覆うものであり、保護対象である電線群５０ａと、複数のエレメント１を連鎖手段１９を介して継ぎ足して組み立てたプロテクタ２０とにより構成される。電気接続箱４０としては、ヒューズボックス、リレーボックス、ジャンクションボックス等が想定される。
【００４４】
図５において、電線群５０ａは、幹線５１の先端の一部分で結束を解かれて複数の電線５０に分離され、各電線５０が電気接続箱４０のそれぞれ対応する電線接続用のコネクタ（図示せず）に接続されている。ここで、各電線５０、および幹線５１の保護が必要な区間（保護対象区間）の長さは、電気接続箱４０の長さ等に対応し、例えば、第１の実施形態に係るエレメント１の２個分の長さに相当している。
【００４５】
図５に示すワイヤハーネス３０の組み立て工程において、作業者は、上記保護対象区間の電線群５０ａを保護するために２つのエレメント１を用意する。次に、作業者は、これら２つのエレメント１を上述した連鎖手段１９により二連のエレメント１Ａ，１Ｂとして継ぎ足したうえで、この二連のエレメント１Ａ，１Ｂの各切込みにより形成される一対の切り起こし爪１２，１３を例えば長方形板部１１の面に対して略垂直に切り起こす。
【００４６】
その後、作業者は、図５に示すように、二連のエレメント１Ａ，１Ｂを保護対象区間の電線群５０ａの下部までもっていく。そして、この二連のエレメント１Ａ，１Ｂのうちのエレメント１Ａについては、例えば、切り起こされた切込みにより形成される一対の切り起こし爪１２，１３により複数の電線５０を抱え込む状態にするとともに、切込みにより形成される一対の切り起こし爪１２，１３の先端の鉤部を何本かの電線５０に引っ掛けた状態に取り付ける。他方、エレメント１Ｂについては、例えば、切り起こされた切込みにより形成される一対の切り起こし爪１２，１３により幹線５１を抱え込む状態に幹線５１に対して取り付ける。
【００４７】
上記手順で各エレメント１Ａ，１Ｂを取り付けた後、図６に示すように、各エレメント１Ａ，１Ｂ毎に両側の台形状板部１４，１５を電線群５０ａが覆われる状態となるまで折り曲げてプロテクタ２０を組み立て、該プロテクタ２０と電線群５０ａとからなるワイヤハーネス３０を完成させる。
【００４８】
図５および図６に示すワイヤハーネス３０は、２つのエレメント１Ａ，１Ｂを継ぎ足して構成されるプロテクタ２０を備えている。プロテクタ２０において、エレメント１Ａ，１Ｂは、各切込みにより形成される一対の切り起こし爪１２，１３が切り起こされて電線群５０ａ、あるいは幹線５１を両側から挟む（抱え込む）状態にある。また、プロテクタ２０において、エレメント１Ａ，１Ｂは、各一対の台形状板部１４，１５が各切込みにより形成される一対の切り起こし爪１２，１３により抱え込まれた電線群５０ａを挟む状態に立ち上がった状態にある。
【００４９】
ワイヤハーネス３０は、エレメント１の数が２個に限られず、電気接続箱４０の大きさ（長さ）等に応じて１または複数の任意の数のエレメント１によって構成することができる。すなわち、ワイヤハーネス３０は、ＰＰやＰＰＴ等の合成樹脂製の一つのエレメント１（図１参照）を切込みにより形成される一対の切り起こし爪１２，１３を切り起こして電線群５０ａを抱え込むように取り付けるとともに、一対の台形状板部１４，１５が切込みにより形成される一対の切り起こし爪１２，１３によって抱え込まれた電線群５０ａを挟んだ状態に立ち上げられた構造とすることができる他、上記複数のエレメント１を連鎖手段１９で継ぎ足し、各切込みにより形成される一対の切り起こし爪１２，１３を切り起こして電線群５０ａを抱え込むように取り付けるとともに、各一対の台形状板部１４，１５が各切込みにより形成される一対の切り起こし爪１２，１３によって抱え込まれた電線群５０ａを挟んだ状態に立ち上げられた構造とすることができる。
【００５０】
上述した一つのエレメント１を用いた構造、および複数のエレメント１を連結した構造のいずれの構造のワイヤハーネス３０も、各一対の台形状板部１４，１５の長方形板部１１に接する側と反対の側が開放されている。これにより、本実施の形態に係るワイヤハーネス３０は、各エレメント１をそれぞれの各一対の台形状板部１４，１５の開放端側から一対の切り起こし爪１２，１３が電線群５０を抱え込む適宜な位置まで押し込むだけで電線群５０ａに取り付け可能であり、配策作業の手間が少なくて済む。
【００５１】
また、本実施の形態に係るワイヤハーネス３０によれば、連鎖手段１９が雌雄一対のホックボタン１７、１８により構成されるため、複数のエレメント１を継ぎ足したプロテクタ２０を用いた場合、隣接するエレメント１同士が、電線の曲げ方向および捩れ方向に相互の姿勢変化することが可能になる。これにより、本実施の形態に係るワイヤハーネス３０では、様々な屈曲およびねじれを有する電線群５０ａあるいは幹線５１の収容、保持に適応できる。
【００５２】
また、本実施の形態に係るワイヤハーネス３０は、プロテクタ２０による保護が必要な三次元方向に曲がって配索される電線群に適用することができる。
【００５３】
また、本実施の形態に係るワイヤハーネス３０は、継ぎ足すエレメント１の数によってプロテクタ２０の長さが決まるため、色々な長さの電気接続箱４０に適用可能であり、コストを抑制することができる。
【００５４】
（第２の実施の形態）
【００５５】
（ワイヤハーネス）
第２の実施の形態に係るワイヤハーネス３０Ａの構成について図７を参照して説明する。本実施の形態に係るワイヤハーネス３０Ａは、電気接続箱４０以外の箇所に適用するものである。特に、図７に示すワイヤハーネス３０Ａは、電線群５０ａが電線保護テープにより束ねられた幹線５１Ａを保護するものであり、該幹線５１Ａに取り付けたプロテクタ２０Ａを有する。
【００５６】
図７において、幹線５１Ａは、軸方向の途中の２箇所で分岐線５２，５３が分岐された構造を有している。分岐線５２と分岐線５３は分岐される幹線５１Ａの周方向の位置は同じであるが、延びる方向が互いに異なっている。幹線５１Ａの保護対象区間の長さは、例えば、第１の実施形態に係るエレメント１の４つ分の長さに相当している。
【００５７】
この場合、幹線５１Ａを保護するために４つのエレメント１を用意する。次に、作業者は、幹線５１Ａの保護対象区間の屈曲や分岐線５２，５３の分岐構造等を観察し、４つのエレメント１の配分を決定する。図７のハーネス幹線５１Ａにおいては、単一のエレメント１で保護する区間と、３つのエレメント１で保護する区間を決定する。
【００５８】
次に、作業者は、用意した４つのエレメント１の一つから、図７の幹線５１Ａの保護に用いるエレメント１Ａを組み立てるとともに、残りの３つのエレメント１から幹線５１Ａの保護に用いる三連のエレメント１Ｂ，１Ｃ，１Ｄを組み立てる。エレメント１Ａは、上述したように、図１に示す基本構造を有するエレメント１を用い、切込みにより形成される一対の切り起こし爪１２，１３を切り起こし、かつ、一対の台形状板部１４，１５を折り曲げて立ち上げることにより組み立てる。他方、三連のエレメント１Ｂ，１Ｃ，１Ｄは、３つのエレメント１を上述した連鎖手段１９により継ぎ足したうえで、各切込みにより形成される一対の切り起こし爪１２，１３を切り起こし、かつ、各一対の台形状板部１４，１５を折り曲げて立ち上げることにより組み立てる。
【００５９】
次に、作業者は、組み立てた単一のエレメント１Ａ、および三連のエレメント１Ｂ，１Ｃ，１Ｄを幹線５１Ａのそれぞれ該当する箇所に取り付ける。本実施の形態では、図７に示すように、エレメント１Ａは、幹線５１Ａにおける分岐線５２の右側の箇所に取り付ける。その際、エレメント１Ａは、切り起こされた切込みにより形成される一対の切り起こし爪１２，１３により幹線５１Ａを抱え込むように取り付ける。
【００６０】
他方、三連のエレメント１Ｂ，１Ｃ，１Ｄは、幹線５１Ａにおける分岐線５２の左側の箇所に分岐線５３の分岐位置を経由した区間に取り付ける。その際、エレメント１Ｂ，１Ｃ，１Ｄは、切り起こされた各切込みにより形成される一対の切り起こし爪１２，１３により幹線５１Ａを抱え込むように装着する。
【００６１】
三連のエレメント１Ｂ，１Ｃ，１Ｄの配置区間には分岐線５３が存在する。他方、三連のエレメント１Ｂ，１Ｃ，１Ｄは、エレメント１Ｂの台形状板部１５とエレメント１Ｃの台形状板部１５との間に隙間が形成される構造である。これにより、三連のエレメント１Ｂ，１Ｃ，１Ｄは、エレメント１Ｂと１Ｃの両台形状板部１５間の上記隙間を分岐線５３が通るように幹線５１Ａに取り付けることができる。幹線５１Ａを抱え込むように取り付けられたエレメント１Ａと、三連のエレメント１Ｂ，１Ｃ，１Ｄはプロテクタ２０Ａを構成する。
【００６２】
図７に示すプロテクタ２０Ａの取り付け状態において、エレメント１Ａと三連のエレメント１Ｂ，１Ｃ，１Ｄとは、それらの底面である長方形板部１１が幹線５１Ａの周方向におけるそれぞれ異なる位置に臨むように取り付けられている。つまり、エレメント１Ａと三連のエレメント１Ｂ，１Ｃ，１Ｄとは、幹線５１Ａの軸を中心としてねじれた位置関係で取り付けられている。
【００６３】
このように、本実施の形態に係るワイヤハーネス３０Ａは、ポリプロピレン (polypropylene；ＰＰ)やポリペプチド(Polypeptide；ＰＰＴ)等の合成樹脂製の一つのエレメント１を切込みにより形成される一対の切り起こし爪１２，１３を切り起こして幹線５１を抱え込むように取り付けるとともに、一対の台形状板部１４，１５が切込みにより形成される一対の切り起こし爪１２，１３によって抱え込まれた幹線５１を挟んだ状態に立ち上げられた構造と、複数の上記エレメント１を連鎖手段１９で継ぎ足し、各切込みにより形成される一対の切り起こし爪１２，１３を切り起こして幹線５１を抱え込むように取り付けるとともに、各一対の台形状板部１４，１５が各切込みにより形成される一対の切り起こし爪１２，１３によって抱え込まれた幹線５１を挟んだ状態に立ち上げられた構造が混在するプロテクタ２０Ａを含む構成を有する。
【００６４】
このワイヤハーネス３０Ａの構成によれば、第１の実施の形態に係るワイヤハーネス３０と同等の作用効果の他、幹線５１Ａへの取り付けに関する以下の作用効果を奏する。
例えば、本実施の形態に係るワイヤハーネス３０Ａでは、単一のエレメント１と、複数のエレメント１を連結した連結エレメントを組み合わせすることにより、分岐線５２，５３等を有する幹線５１に対しても容易に取り付け可能である。
【００６５】
また、本実施の形態に係るワイヤハーネス３０Ａによれば、プロテクタ２０Ａを構成する各エレメント１において、切込みにより形成される一対の切り起こし爪１２，１３の角度、および一対の台形状板部１４，１５の折り曲げ角度を任意に調整可能であり、これらの角度を調整することによって様々な太さの幹線５１Ａに対しても容易に取り付け可能である。
【００６６】
また、本実施の形態に係るワイヤハーネス３０Ａによれば、プロテクタ２０Ａを構成する各エレメント１において、立ち上げられた一対の台形状板部１４，１５間が離間している、つまり両端が開放されていること、つまり開口状態にあることが基本であるため、ワイヤハーネス３０Ａに対するプロテクタ２０Ａの装着作業を容易に行うことができる。
【００６７】
（その他の実施の形態）
本発明は、上記実施の形態に限定されるものでなく、特許請求の範囲に記載された本発明の技術的範囲には、発明の要旨を逸脱しない範囲内で種々、設計変更した形態が含まれる。
【００６８】
例えば、上記実施の形態において、エレメント１の組み立て前の構造を平板状としているが、切込みにより形成される一対の切り起こし爪１２，１３および一対の台形状板部１４，１５が所定の角度まで起こされている状態に構成してもよい。
【００６９】
この構成のエレメント１を使用してプロテクタ２０、２０Ａを形成する場合、切込みにより形成される一対の切り起こし爪１２，１３および一対の台形状板部１４，１５については、上記角度から所望の角度までさらに切り起こす作業を行うこととなるが、その際、切込みにより形成される一対の切り起こし爪１２，１３および一対の台形状板部１４，１５は、事前に上記所定の角度まで起こされているため、プロテクタ２０を構成する際の切り起こし作業が容易になる。
【００７０】
また、エレメント１において、一対の切り起こし爪１２，１３は図示した形状とは別の形状に切込みにより形成することができ、一対の台形状板部１４，１５についても、この形状に限定されるものではなく他の形状、例えば長方形とすることができる。
【００７１】
以上説明したように、本発明によれば、大きな保管場所が不要で、かつ、少ない手間で配策作業を行うことができ、三次元に配索する電線群の保護およびＬ形に配索する箇所での保護に適用できるという効果を有し、プロテクタ用エレメント、プロテクタおよびワイヤハーネスの全般に有用である。
【符号の説明】
【００７２】
１，１Ａ，１Ｂ，１Ｃ，１Ｄ  プロテクタ用エレメント
１０  カバー部材
１１  長方形板部（底面用面部）
１２，１３  切り起こし爪
１４，１５  台形状板部（側壁用面部）
１６  短片部（接続用面部）
１７，１８  ホックボタン
１９  連鎖手段
２０，２０Ａ  プロテクタ
３０，３０Ａ  ワイヤハーネス
４０  電気接続箱
４１  ロアカバー
５０  電線
５０ａ  電線群
５１，５１Ａ  幹線
【図１】
2017005844.tif 000003
【図２】
2017005844.tif 000004
【図３】
2017005844.tif 000005
【図４】
2017005844.tif 000006
【図５】
2017005844.tif 000007
【図６】
2017005844.tif 000008
【図７】
2017005844.tif 000009
【図８】
2017005844.tif 000010